(57)【要約】【課題】収納物を保護しながら、収納物の数が１または２の何れであっても柔軟に対応して収納可能なカメラシステム用ソフトバッグを提供する。【解決手段】カメラシステム用ソフトバッグ１は、形状変形可能な本体前面部２と、本体前面部２が上端縁を除いて一体的に連結され、形状変形可能な本体背面部３と、本体前面部２と本体背面部３との間の収納スペース７内に配設され、左右端縁において収納スペース７の左右端縁に一体的に連結されている伸縮可能な仕切部材４と、を備える。仕切部材４は、２つの収納物を個別に収納する際に、必要に応じて伸張して一方の収納物を一面側、他方の収納物を他面側に収納することにより、収納スペース７を２つに分割し、２つの収納物を離隔する。【選択図】図３
0003186757.tif 000002
【実用新案登録請求の範囲】
【請求項１】
カメラとカメラ用アクセサリーとの少なくとも一方を収納物として収納するカメラシステム用ソフトバッグにおいて、
形状変形可能な面状素材により上下左右の各端縁を有する形状に形成された本体前面部と、
形状変形可能な面状素材により形成されていて、前記本体前面部の下端縁、左端縁、および右端縁に対応する端縁において該本体前面部と一体的に連結されている本体背面部と、
少なくとも左右方向に伸縮可能で形状変形可能な面状素材により上下左右の各端縁を有する形状に形成されていて、前記本体前面部と前記本体背面部との間に上側を開口として構成される収納スペース内に配設され、左右端縁において前記収納スペースの左右端縁に一体的に連結されている仕切部材と、
を具備し、
前記仕切部材は、２つの前記収納物を個別に収納する際に、必要に応じて伸張して一方の収納物を一面側、他方の収納物を他面側に収納することにより、前記収納スペースを２つに分割し、２つの前記収納物を離隔することを特徴とするカメラシステム用ソフトバッグ。
【請求項２】
前記本体前面部および前記仕切部材は、上下方向よりも左右方向に長く形成されており、
前記仕切部材は、２つの前記収納物を個別に収納する際に上方から見たときにＳ字状に曲折されることにより、前記収納スペースを左右方向に２つに分割することを特徴とする請求項１に記載のカメラシステム用ソフトバッグ。
【請求項３】
前記本体前面部、前記本体背面部、および前記仕切部材を形成するための各面状素材は、さらに、クッション性を有し、
前記仕切部材は、２つの前記収納物を個別に収納する際に、２つの前記収納物をクッション性をもって離隔することを特徴とする請求項２に記載のカメラシステム用ソフトバッグ。
【請求項４】
前記仕切部材は、１つの収納物のみを収納スペースに収納する際に、または収納スペースに何も収納しない際に、前記本体背面部あるいは前記本体前面部に沿った形状となることを特徴とする請求項３に記載のカメラシステム用ソフトバッグ。
【請求項５】
前記仕切部材は、前面側と前記本体前面部との間と、背面側と前記本体背面部との間と、の少なくとも一方において、該本体前面部と該本体背面部との少なくとも一方に対して着脱自在に固定可能であることを特徴とする請求項４に記載のカメラシステム用ソフトバッグ。
【請求項６】
前記本体背面部は、前記本体前面部の前面側に折り返し可能なように、上下方向の長さが前記本体前面部の１倍よりも大きくなるように構成されていて、該本体背面部の折り返し部分が前記収納スペースの前記開口を閉蓋することを特徴とする請求項５に記載のカメラシステム用ソフトバッグ。
【請求項７】
折り返したときに前記本体前面部に対向する前記本体背面部の面と、前記本体前面部の前面とは、着脱自在に固定可能であることを特徴とする請求項６に記載のカメラシステム用ソフトバッグ。
【考案の詳細な説明】
【技術分野】
【０００１】
本考案は、カメラとカメラ用アクセサリーとの少なくとも一方を収納物として収納するカメラシステム用ソフトバッグに関する。
【背景技術】
【０００２】
カメラやビデオカメラ等の機器を収納して保護するバッグは、従来より種々のものが製品化され販売されている。
【０００３】
カメラ等を厳重に保護する構成としては、ハードケース内にウレタン等の内装材を配置し、この内装材にカメラ等の外形に沿った切り抜きを形成してそこにカメラ等を収納するようにしたものがある。
【０００４】
しかし、このような構成では、ケース内に収納可能な収納物は特定の機種に限られるために、異なる機種は収納不可能であり、機種毎にケースが必要となっていた。
【０００５】
そこで、特定機種に限定されることなく種々の機種の電子機器を収容可能となるようにし、また、電子機器の収容に限定されることなく汎用のキャリングケースとして使用可能となるようにする提案が、例えば特開平８−３３７号公報においてなされている。該公報には、ビデオカメラ等の電子機器やそのアクセサリー類を、運搬のために収容するハードタイプのキャリングケースが記載されている。このキャリングケースは、比較的内容積が大きいために、ケース本体内部に小物入れバッグを着脱可能に収容し、この小物入れバッグを仕切部材として利用する構成を採用している。
【０００６】
一方、カメラ等をより簡易に保護する構成としては、例えばキルティング等の布で構成されたソフトタイプのバッグがある。
【先行技術文献】
【特許文献】
【０００７】
【特許文献１】特開平８−３３７号公報
【考案の概要】
【考案が解決しようとする課題】
【０００８】
しかしながら、こうしたソフトタイプの布製カメラ用バッグに、複数の収納物、例えば２本の交換レンズを収納して持ち運ぼうとすると、バッグ内で２本の交換レンズが互いにぶつかって、損傷したり破損したりするおそれがある。
【０００９】
本考案は上記事情に鑑みてなされたものであり、収納物を保護しながら、収納物の数が１または２の何れであっても柔軟に対応して収納可能なカメラシステム用ソフトバッグを提供することを目的とする。
【課題を解決するための手段】
【００１０】
本考案のある態様によるカメラシステム用ソフトバッグは、カメラとカメラ用アクセサリーとの少なくとも一方を収納物として収納するカメラシステム用ソフトバッグにおいて、形状変形可能な面状素材により上下左右の各端縁を有する形状に形成された本体前面部と、形状変形可能な面状素材により形成されていて、前記本体前面部の下端縁、左端縁、および右端縁に対応する端縁において該本体前面部と一体的に連結されている本体背面部と、少なくとも左右方向に伸縮可能で形状変形可能な面状素材により上下左右の各端縁を有する形状に形成されていて、前記本体前面部と前記本体背面部との間に上側を開口として構成される収納スペース内に配設され、左右端縁において前記収納スペースの左右端縁に一体的に連結されている仕切部材と、を具備し、前記仕切部材は、２つの前記収納物を個別に収納する際に、必要に応じて伸張して一方の収納物を一面側、他方の収納物を他面側に収納することにより、前記収納スペースを２つに分割し、２つの前記収納物を離隔する。
【考案の効果】
【００１１】
本考案のカメラシステム用ソフトバッグによれば、収納物を保護しながら、収納物の数が１または２の何れであっても柔軟に対応して収納することが可能となる。
【図面の簡単な説明】
【００１２】
【図１】本考案の第１の実施形態のカメラシステム用ソフトバッグにカメラを収納したときの様子を示す平断面図。
【図２】上記第１の実施形態のカメラシステム用ソフトバッグにカメラを収納したときの様子を示す、一部破断部を含む正面図。
【図３】上記第１の実施形態のカメラシステム用ソフトバッグに２本の交換レンズを収納したときの様子を示す平断面図。
【図４】上記第１の実施形態のカメラシステム用ソフトバッグに２本の交換レンズを収納したときの様子を示す、一部破断部を含む正面図。
【図５】本考案の第２の実施形態のカメラシステム用ソフトバッグにカメラを収納したときの様子を示す平断面図。
【図６】上記第２の実施形態のカメラシステム用ソフトバッグに２本の交換レンズを収納したときの様子を示す平断面図。
【考案を実施するための形態】
【００１３】
以下、図面を参照して本考案の実施の形態を説明する。
［第１の実施形態］
【００１４】
図１から図４は本考案の第１の実施形態を示したものである。
【００１５】
本実施形態のカメラシステム用ソフトバッグ１は、カメラ１１（図１および図２参照）と、カメラ用アクセサリーと、の少なくとも一方を収納物として収納し得るように構成されたものとなっている。
【００１６】
ここにカメラ１１は、レンズ着脱式カメラにおけるカメラ本体１２、レンズ着脱式カメラにおける交換レンズ１３を装着したカメラ本体１２、レンズ一体型カメラの何れであっても構わない。また、カメラ１１としては、スチルカメラを想定しているが、ビデオカメラやその他のカメラ機能を備える機器であることを妨げるものではない。
【００１７】
また、カメラ用アクセサリーは各種のものが適用可能であるが、例えば、レンズ着脱式カメラにおける交換レンズ１３Ａ，１３Ｂ（図３および図４参照）、外付けストロボ、カメラ用内蔵バッテリ、カメラ用外付けバッテリ、カメラ用ＡＣアダプタ、記録メディアカード収納ケースなどが幾つかの例として挙げられる。
【００１８】
そしてカメラシステム用ソフトバッグ１は、図１から図４に示すように、本体前面部２と、本体背面部３と、仕切部材４と、を備えている。
【００１９】
本体前面部２は、形状変形可能な面状素材により上下左右（この上下左右の各方向は、図２または図４に示す各方向であるものとする）の各端縁を有する形状（具体例としては矩形状）に形成されている。この本体前面部２を形成するための面状素材は、より好ましくは、クッション性を有すると良い。
【００２０】
また、本体背面部３は、形状変形可能な面状素材により形成されていて、本体前面部２の下端縁、左端縁、および右端縁に対応する端縁において本体前面部２と一体的に連結されている。この本体背面部３を形成するための面状素材も、より好ましくは、クッション性を有すると良い。
【００２１】
さらに、仕切部材４は、少なくとも左右方向に伸縮可能で形状変形可能な面状素材により上下左右の各端縁を有する形状（具体例としては矩形状）に形成されていて、本体前面部２と本体背面部３との間に上側を開口として構成される収納スペース７内に配設され、左右端縁において収納スペース７の左右端縁に一体的に連結されている。なお、仕切部材４は、必要に応じて、さらに下端縁の少なくとも一部において収納スペース７の下端縁に一体的に連結されていても構わない。この仕切部材４を形成するための面状素材も、より好ましくは、クッション性を有すると良い。
【００２２】
ここに、本体前面部２および本体背面部３を構成する素材（形状変形可能な面状素材であって、好ましくはクッション性を有するもの）は、２枚の布の間に綿（合繊綿、木綿、羊毛綿など各種がある）等を挟んで構成されたキルティング、厚布（一例を挙げればフェルト）、皮革、合成皮革等が幾つかの例として挙げられるが、折り畳む、丸めるなどの柔軟な変形が可能でかつクッション性も高いキルティング等が好ましい（逆に言えば、折り畳む、丸めるなどの形状変形を可能とするために、クッション性を備えながらも、厚みがなるべく薄いことが好ましい）。ここに、キルティングを構成する布は、織布、ビニール等の高分子樹脂で構成された薄いシート、薄く軟らかい皮革等の各種の布状素材を広く採用することが可能である。
【００２３】
また、仕切部材４を構成する素材（伸縮可能で形状変形可能な面状素材であって、好ましくはクッション性を有するもの）は、例えば幅広の平ゴム（織りゴムや編みゴム等を含む）や、あるいは伸縮方向にギャザーを寄せた布地の間にクッション材と伸縮方向に沿ったゴム紐とを配設した素材等が考えられるが、必要な機能を満たせばその他の素材を採用しても構わない。
【００２４】
本実施形態の本体前面部２および仕切部材４は、図２および図４に示す配置において、上下方向よりも左右方向が長くなるような矩形状に形成されており、２つの収納物を収納スペース７内に収納する際には左右方向に配列することが自然な配置となっている。
【００２５】
本実施形態の本体背面部３は、本体前面部２の前面側に折り返し可能なように、上下方向の長さが本体前面部２の略２倍（少なくとも本体前面部の上下方向の長さよりも長く（つまり１倍よりも大きく）、一例としては２倍以上）となるように構成されていて（図２および図４参照）、本体背面部３の折り返し部分が収納スペース７の開口を閉蓋するようになっている。
【００２６】
そして、折り返したときに本体前面部２に対向する本体背面部３の面と、本体前面部２の前面とは、面ファスナー（例えば、マジックテープ（登録商標）など）やボタン等の第１着脱固定部材６を配設することにより着脱自在に固定可能となっている。
【００２７】
図２および図４には、第１着脱固定部材６として面ファスナーを用いた構成例を記載しており、本体前面部２にはフック面とループ面との一方が第１面ファスナー６ａとして、本体背面部３にはフック面とループ面との他方が第２面ファスナー６ｂとして、それぞれ配設されている。また、第１着脱固定部材６をスナップボタンとして構成した場合には、凹凸の一方を本体前面部２に、他方を本体背面部３に配置することになる。
【００２８】
こうして、カメラシステム用ソフトバッグ１の収納スペース７内に収納物を収納した後に、本体背面部３を本体前面部２の前側へ折り畳んで収納スペース７の開口を閉蓋し、第１面ファスナー６ａと第２面ファスナー６ｂとを係合固定することにより、閉蓋した部分が不用意に開くことがないようにしている。
【００２９】
次に、１つの収納物のみを収納スペース７に収納したときの様子を示すのが、図１および図２である。
【００３０】
このときに仕切部材４は、収納スペース７を単一のスペースとして用いることができるように背面側または前面側に寄って、本体背面部３（あるいは本体前面部２）に沿った形状となっている。なお、仕切部材４は、収納スペース７に何も収納しない際にも、本体背面部３または本体前面部２に沿った形状になっていると良い。
【００３１】
一方、２つの収納物を個別に収納したときの様子を示すのが、図３および図４である。図示の例では、２つの収納物が２本の交換レンズ１３Ａ，１３Ｂである場合を示している。
【００３２】
このときは仕切部材４は、必要に応じて少なくとも左右方向に伸張されて、上方から見たときにＳ字状（図３参照）に曲折されており、収納スペース７を左右方向に２つに分割している。そして、２つに分割された収納スペース７の一方に第１の交換レンズ１３Ａが、他方に第２の交換レンズ１３Ｂが、それぞれ収納されている。
【００３３】
このように仕切部材４は、一方の収納物を一面側に、他方の収納物を他面側に収納することにより、２つの収納物を非接触に離隔し収納している。このとき仕切部材４がさらにクッション性を有する面状素材により形成されている場合には、仕切部材４は、２つの前記収納物をクッション性をもって離隔することになる。
【００３４】
また、本実施形態のカメラシステム用ソフトバッグ１は、厚みが薄くかつ柔らかい素材により構成されているために、非使用時には、折り畳む、あるいは丸めるなどしてコンパクトにまとめることができ、持ち運びや収納保管（カメラシステム用ソフトバッグ１自体を、他のバッグ内や戸棚などに収納したり保管したりすること）等の場所をとらず利便性が高いものとなっている。
【００３５】
このような第１の実施形態によれば、２つの収納物（例えば、２本の交換レンズ１３Ａ，１３Ｂ、あるいはカメラ１１および交換レンズ１３Ａまたは１３Ｂ等）を収納するときには、仕切部材４が収納物同士の緩衝材となるために、収納物の損傷や破損を防止する役目を果たすことができる。
【００３６】
一方、カメラシステム用ソフトバッグ１に１つの収納物（例えばカメラ１１単体）を収納するときには、仕切部材４自体の占有空間体積が小さいために、仕切部材４が収納スペース７を狭めたり、収納の邪魔になるといったことがない。
【００３７】
また、本体背面部３が収納スペースの閉じ蓋を兼用するようにしたために、別途の蓋部材を設ける必要がなく、構成を簡単にして製造コストを下げることができる。
【００３８】
さらに、第１着脱固定部材６を設けて、本体背面部３を折り返したときに、本体背面部３と本体前面部２とが着脱自在に固定可能となるようにしたために、収納物が収納スペース７から脱落するのを防止することができる。
【００３９】
こうして、本実施形態のカメラシステム用ソフトバッグは、収納物を保護しながら、収納物の数が１または２の何れであっても柔軟に対応して収納することが可能となっている。
［第２の実施形態］
【００４０】
図５および図６は本考案の第２の実施形態を示したものであり、図５はカメラシステム用ソフトバッグにカメラを収納したときの様子を示す平断面図、図６はカメラシステム用ソフトバッグに２本の交換レンズを収納したときの様子を示す平断面図である。
【００４１】
この第２の実施形態において、上述の第１の実施形態と同様である部分については同一の符号を付すなどして説明を適宜省略し、主として異なる点についてのみ説明する。
【００４２】
本実施形態は、上述した第１の実施形態の構成に加えて、仕切部材４が、仕切部材４自体の前面側と本体前面部２との間と、仕切部材４自体の背面側と本体背面部３との間と、の少なくとも一方において、本体前面部２と本体背面部３との少なくとも一方に対して着脱自在に固定可能となるようにさらに構成したものとなっている。
【００４３】
具体的に本実施形態においては、図５および図６に示すように、仕切部材４の背面側と本体背面部３の前面側との少なくとも一方に上述した面ファスナーやボタン等で構成される第２着脱固定部材５を配設することにより、仕切部材４を本体背面部３に対して着脱自在に固定することができるようにしている。
【００４４】
具体例として、第２着脱固定部材５が面ファスナーである場合には、フック面とループ面との一方を第３面ファスナー５ａとして仕切部材４に、他方を第４面ファスナー５ｂとして本体背面部３に配置することになる。また、第２着脱固定部材５がスナップボタンである場合には、凹凸の一方を仕切部材４に、他方を本体背面部３に配置することになる。
【００４５】
なお、本実施形態においては第２着脱固定部材５を本体背面部３と仕切部材４との間に配置したが、これに代えて、もしくはこれに加えて、第２着脱固定部材５を仕切部材４と本体前面部２との間に配置して、仕切部材４を本体前面部２に対して着脱自在に固定することができるようにしても構わない。
【００４６】
次に、１つの収納物のみを収納スペース７に収納したときの様子を示すのが、上述した図２および図５である。
【００４７】
このときに仕切部材４は、面ファスナー等の第２着脱固定部材５により、本体背面部３（あるいは本体前面部２）に沿った形状に固定されるようになっている。従って、本体背面部３を開いて収納スペース７に収納物を収納しようとする際に、収納スペース７が単一のスペースとして開口し、収納物を作業性良く収納することができる。
【００４８】
なお、仕切部材４は、収納スペース７に何も収納しない際にも、面ファスナー等の第２着脱固定部材５により本体背面部３（あるいは本体前面部２）に沿った形状に固定されるようになっている。
【００４９】
一方、２つの収納物を個別に収納したときの様子を示すのが、上述した図４および図６である。
【００５０】
図６に示す構成（仕切部材４と本体背面部３との間に第２着脱固定部材５を設けた構成）において２つの収納物を収納する際には、仕切部材４の前面側に収納される収納物（例えば交換レンズ１３Ａ）は上述した第１の実施形態と同様に収納することができるが、仕切部材４の背面側に収納される収納物（例えば交換レンズ１３Ｂ）を収納する際には、第３面ファスナー５ａと第４面ファスナー５ｂとの係合固定を外してから収納することになる。
【００５１】
このような第２の実施形態によれば、上述した第１の実施形態とほぼ同様の効果を奏するとともに、第２着脱固定部材５を設けて仕切部材４を本体前面部２または本体背面部３と一体的に固定することができるようにしたために、１つの収納物だけを収納する際に仕切部材４が収納作業の妨げになることはなく、収納スペース７が分割されておらず１つのみであるときと同様の収納の仕方で、空間的余裕を持って作業性良く収納作業を行うことが可能となる。
【００５２】
なお、本考案は上述した実施形態そのままに限定されるものではなく、実施段階ではその要旨を逸脱しない範囲で構成要素を変形して具体化することができる。また、上記実施形態に開示されている複数の構成要素の適宜な組み合わせにより、種々の考案の態様を形成することができる。例えば、実施形態に示される全構成要素から幾つかの構成要素を削除しても良い。さらに、異なる実施形態にわたる構成要素を適宜組み合わせても良い。このように、考案の主旨を逸脱しない範囲内において種々の変形や応用が可能であることは勿論である。
【符号の説明】
【００５３】
１…カメラシステム用ソフトバッグ
２…本体前面部
３…本体背面部
４…仕切部材
６…第１着脱固定部材
６ａ…第１面ファスナー
６ｂ…第２面ファスナー
５…第２着脱固定部材
５ａ…第３面ファスナー
５ｂ…第４面ファスナー
７…収納スペース
１１…カメラ
１２…カメラ本体
１３，１３Ａ，１３Ｂ…交換レンズ
【図１】
0003186757.tif 000003
【図２】
0003186757.tif 000004
【図３】
0003186757.tif 000005
【図４】
0003186757.tif 000006
【図５】
0003186757.tif 000007
【図６】
0003186757.tif 000008